(57)【要約】【課題】活線挿抜する際のラッシュ電流の発生を抑えるとともに、端子数の少ないコネクタ装置、プラグ受け、テレビジョン装置、および、ケーブルを提供する。【解決手段】コネクタ装置は、接触子４１を有するプラグ４０とプラグ４０の接触子４１の挿入によって接触子４１と接触する端子片２１，２２を有するプラグ受け１０とを備えており、プラグ４０の接触子の接触開始位置から挿入終了位置までに接触子４１と端子片２１，２２の接続抵抗が変化する。接触子４１が端子片２１に接触すると、電源ライン２３には、接触子４１、端子片２１、抵抗素子２４、端子片２２を介して電源から電圧が印加される。その際、抵抗素子２４を介して電流が流れるため、ラッシュ電流の発生が防止できる。【選択図】図１
2018147771.tif 000002
【特許請求の範囲】
【請求項１】
接触子を有するプラグと、該プラグの接触子の挿入によって前記接触子と接触する端子を有するプラグ受けとを備えたコネクタ装置であって、前記プラグの接触子の接触開始位置から前記プラグの挿入終了位置までに、前記接触子と前記端子との接続抵抗が変化することを特徴とするコネクタ装置。
【請求項２】
前記端子は前記プラグの挿抜方向に沿って複数の端子片に分割されており、隣接する端子片が抵抗素子によって接続されていることを特徴とする請求項１に記載のコネクタ装置。
【請求項３】
前記抵抗素子は、前記プラグ受けの外部に変更可能に取り付けられていることを特徴とする請求項２に記載のコネクタ装置。
【請求項４】
前記端子は、前記プラグの挿抜方向に沿って複数の抵抗値の異なる部分からなり、前記プラグの接触開始位置に近い前記部分の抵抗値ほど大きいことを特徴とする請求項１に記載のコネクタ装置。
【請求項５】
外部から挿抜されるプラグの接触子と接触する端子を有するプラグ受けであって、前記プラグの接触子の接触開始位置から前記プラグの挿入終了位置までに、前記接触子と前記端子との接続抵抗が変化することを特徴とするプラグ受け。
【請求項６】
前記プラグ受けは、前記プラグの接触子の接触開始位置から挿入終了位置までに前記接触子と前記端子との接続抵抗が変化しない１つの端子と、前記プラグの接触子の接触開始位置から挿入終了位置までに前記接触子と前記端子との接続抵抗が変化する複数の端子を有することを特徴とする請求項５に記載のプラグ受け。
【請求項７】
前記プラグ受けは、電源用の端子と信号用の端子を備えることを特徴とする請求項５または６に記載のプラグ受け。
【請求項８】
請求項５から７のいずれか１に記載のプラグ受けを有するテレビジョン装置。
【請求項９】
請求項５から７のいずれか１に記載のプラグ受けを有するケーブル。
【請求項１０】
前記ケーブルは、テレビジョン装置のモニタ部とチューナ部との間で電源供給と信号伝送を行うことを特徴とする請求項９に記載のケーブル。
【発明の詳細な説明】
【技術分野】
【０００１】
本発明は、コネクタ装置、プラグ受け、テレビジョン装置、および、ケーブルに関し、詳しくは、活線挿抜可能なコネクタ装置、プラグ受け、テレビジョン装置、および、ケーブルに関する。
【背景技術】
【０００２】
複数の電子機器を接続して使用する際、電源を入れたまま機器間をつないだり、あるいは、分離したりすることができると便利である。しかしながら、例えば、電源ラインを含むケーブルに電圧がかかった状態で他の機器を接続すると、他の機器の電源ラインに対してラッシュ電流（「突入電流」ともいう。）が流れる。
【０００３】
例えば、図１０は、従来のコネクタ装置の一例を示す図であり、コネクタ装置はプラグ４０とプラグ受け１０から構成されており、プラグ受け１０は、基板１１、ハウジング１２、端子片２２と電源ライン２３を備えている。なお、プラグ４０とプラグ受け１０とは別途接地ラインの接続のための接触子と端子を有しているが、図示していない。そして、プラグ４０の接触子４１に電源電圧がかかった状態で、プラグ４０がプラグ受け１０に差し込まれると、プラグ受け側の機器が、大容量の平滑コンデンサやデカップリングコンデンサを持つ場合は、電源投入時にまずそれらのコンデンサを充電するため、図１０の右側に示すような大きなラッシュ電流が電源ライン２３に流れることになる。
【０００４】
このラッシュ電流は、コネクタ装置の接触子４１と端子片２２の溶着や、電源ヒューズの溶断等を引き起こす。また、電源ラインではなく信号ラインの場合であっても、信号ラインに信号電圧が印加されたままでコネクタ装置を挿抜することは、信号ラインに生じた電圧変動に起因するノイズによって誤動作を招くことがある。このため、機器を接続する際のラッシュ電流の発生を避けるために、電源電圧が供給されていない状態でプラグ受けにプラグを挿入することが行われてきた。
【０００５】
これに対応するため、電源ラインを含むケーブルに電源電圧がかかったまま、機器を接続したとしてもラッシュ電流を少なく抑える技術が求められており、例えば、特許文献１には、図１１に示すような活線挿抜装置が提案されている。
【０００６】
図１１に示す活線挿抜装置では、供給側コネクタ１０１には、電源のプラス電極１１１に電気的に並列接続された正凹電極１０４ａと補凹電極１０３ａと、電源のマイナス電極１１２に接続された負凹電極１０６ａの３つの電極が埋め込まれており、供給側コネクタ１０１への埋め込み寸法が補凹電極１０３ａと負凹電極１０６ａとは同じであるが、正凹電極１０４ａはこれらよりも小さく構成されている。
【０００７】
一方、受け側コネクタ１０２には、正凹電極１０４ａと嵌合して通電する正凸電極１０４と、補凹電極１０３ａと嵌合して通電する補凸電極１０３と、負凹電極１０６ａと嵌合して通電する負凸電極１０６の３つの電極を具備しており、補凸電極１０３と負凸電極１０６とは同じ長さを有しているが、正凸電極１０４はこれらよりも短く構成されている。そして、電気装置のプラス電極１１３に、正凸電極１０４と、抵抗体１０５を介して補凸電極１０３が並列接続され、電気装置のマイナス電極１１４に負凸電極１０６が接続されている。
【０００８】
図１１に示す装置では、供給側コネクタ１０１を受け側コネクタ１０２に挿入すると、まず補凸電極１０３と補凹電極１０３ａ、および、負凸電極１０６と負凹電極１０６ａとがつながり、抵抗体１０５の作用によって装置に微弱電流が流れ、装置内の回路のコンデンサが微弱電流によって充電される。次に、正凸電極１０４と正凹電極１０４ａがつながり、装置に電流が流れるが、すでに微弱電流により電気装置側が有するコンデンサが充電されているため、突入電流は流れず、ノイズの発生を防止することができる。
【先行技術文献】
【特許文献】
【０００９】
【特許文献１】特開平５-７５２８２号公報
【発明の概要】
【発明が解決しようとする課題】
【００１０】
特許文献１に示された装置では、ラッシュ電流の発生を抑えることはできるが、１つの電源ラインや信号ラインを接続する場合に、少なくとも３つの端子を用いる必要が生じる。また、最近の電子機器では、複数の電源ラインや信号ラインを有するものが多く、特許文献１に開示された装置では、例えば、接地ラインを共通化した場合であっても、ｎ本の電源ラインあるいは信号ラインを接続するためには、（２ｎ＋１）個の端子が必要となる。したがって、ライン数の増加とともに、接続装置自体が大型化し、設置箇所の制約やコストアップに繋がるといった問題があった。
【００１１】
本発明は、これらの実情に鑑みてなされたものであり、活線挿抜する際のラッシュ電流の発生を抑えるとともに、端子数の少ないコネクタ装置、プラグ受け、テレビジョン装置、および、ケーブルを提供することをその目的とする。
【課題を解決するための手段】
【００１２】
上記課題を解決するために、本発明の第１の技術手段は、接触子を有するプラグと、該プラグの接触子の挿入によって前記接触子と接触する端子を有するプラグ受けとを備えたコネクタ装置であって、前記プラグの接触子の接触開始位置から前記プラグの挿入終了位置までに、前記接触子と前記端子との接続抵抗が変化することを特徴とするものである。
【００１３】
第２の技術手段は、第１の技術手段において、前記端子は前記プラグの挿抜方向に沿って複数の端子片に分割されており、隣接する端子片が抵抗素子によって接続されていることを特徴とするものである。
【００１４】
第３の技術手段は、第２の技術手段において、前記抵抗素子は、前記プラグ受けの外部に変更可能に取り付けられていることを特徴とするものである。
【００１５】
第４の技術手段は、第１の技術手段において、前記端子は、前記プラグの挿抜方向に沿って複数の抵抗値の異なる部分からなり、前記プラグの接触開始位置に近い前記部分の抵抗値ほど大きいことを特徴とするものである。
【００１６】
第５の技術手段は、外部から挿抜されるプラグの接触子と接触する端子を有するプラグ受けであって、前記プラグの接触子の接触開始位置から前記プラグの挿入終了位置までに、前記接触子と前記端子との接続抵抗が変化することを特徴とするものである。
【００１７】
第６の技術手段は、第５の技術手段において、前記プラグ受けは、前記プラグの接触子の接触開始位置から挿入終了位置までに前記接触子と前記端子との接続抵抗が変化しない１つの端子と、前記プラグの接触子の接触開始位置から挿入終了位置までに前記接触子と前記端子との接続抵抗が変化する複数の端子を有することを特徴とするものである。
【００１８】
第７の技術手段は、第５または第６の技術手段において、前記プラグ受けは、電源用の端子と信号用の端子を備えることを特徴とするものである。
【００１９】
第８の技術手段は、テレビジョン装置であって、第５から第７のいずれか１の技術手段のプラグ受けを有するものである。
【００２０】
第９の技術手案は、ケーブルであって、第５から第７のいずれか１の技術手段のプラグ受けを有するものである。
【００２１】
第１０の技術手段は、第９の技術手段において、前記ケーブルは、テレビジョン装置のモニタ部とチューナ部との間で電源供給と信号伝送を行うことを特徴とするものである。
【発明の効果】
【００２２】
本発明によれば、活線挿抜する際にまず抵抗を介して接続されるので、ラッシュ電流の発生を抑えることができる。また、ｎ本の電源ラインあるいは信号ラインを接続するためには、（ｎ＋１）個の端子だけで済むため、全体の端子数を少なくできる。
【図面の簡単な説明】
【００２３】
【図１】本発明の第１の実施形態に係るコネクタ装置の模式的に示す図であって、コネクタ装置を側面から見た図である。
【図２】図１に示すコネクタ装置を上から見た図である。
【図３】本発明の第２の実施形態に係るコネクタ装置の模式的に示す図であって、コネクタ装置を側面から見た図である。
【図４】本発明の第３の実施形態に係るコネクタ装置の模式的に示す図であって、コネクタ装置を側面から見た図である。
【図５】本発明の第４の実施形態に係るコネクタ装置の模式的に示す図であって、コネクタ装置を側面から見た図である。
【図６】本発明の一実施形態に係るコネクタ装置をテレビジョン装置に適用した際の、テレビジョン装置の機能ブロックと接続ケーブルを説明するための図である。
【図７】図６に示すテレビジョン装置の外観図である。
【図８】本発明の一実施形態に係るプラグ受けを示す図である。
【図９】本発明の一実施形態に係るプラグ受けを接続ケーブルに設けた際の図である。
【図１０】従来のコネクタ装置の一例を示す図である。
【図１１】従来の活線挿抜装置を示す図である。
【発明を実施するための形態】
【００２４】
以下、図面を参照しながら、本発明のコネクタ装置、プラグ受け、テレビジョン装置、および、ケーブルに係る好適な実施形態について説明する。以下の説明において、異なる図面においても同じ符号を付した構成は同様のものであるとして、その説明を省略する場合がある。また、複数の実施形態について組み合わせが可能である限り、本発明は任意の実施形態を組み合わせたものを含む。
【００２５】
(第１の実施形態)
図１は、本発明の第１の実施形態に係るコネクタ装置の模式的に示す図であって、コネクタ装置を側面から見た図であり、図２は、図１に示すコネクタ装置を上から見た図である。本実施形態のコネクタ装置のプラグ４０は、２つの接触子４１，４２を備えている。図１では、プラグ４０を模式的に示しているため、電源に接続される接触子４１を含む電極ピンの部分のみを示しているが、実際には、接触子４１の根元側は、図示しない所定のハウジングによって２つの電極ピンが一体に固定されている。
【００２６】
プラグ受け（「コネクタ」または「レセプタクル」ともいう。）１０は、電源用の２つの端子片２１，２２と、端子片２２に繋がり基板１１上に形成した電源ライン２３を備えている。隣接する２つの端子片２１，２２は、抵抗素子２４によって接続されている。また、図２に示すように、接地用の１つの端子片３１とこの端子片３１に繋がり基板１１上に形成した接地ライン３２を有している。接地用の端子片３１の挿抜方向の長さは、電源用の端子片２１，２２の長さを足したものにほぼ等しい。端子片２１，２２，３１は、基板１１に固着したハウジング１２内に形成されており、基板１１には図示しない電子部品が実装されている。ハウジング１２はプラグ４０を挿入するためのガイド機能を果たす。また、接地用の端子片３１には、プラグ４０の接地用の接触子４２が接触するように構成されている。なお、端子片２１，２２，３１を基板１１の表面に形成し、ハウジング１２で覆うように構成してもよい。
【００２７】
このように、本実施形態では、電源用の端子は、複数の端子片２１，２２によって構成されており、一方、接地用の端子は、１つの端子片３１によって構成されることになる。このため、接地用の端子片３１とプラグ４０の接触子４２とは、接触子４２の接触開始位置からプラグ４０の挿入終了位置までに接触子４２と端子片３１の接続抵抗は変化することはない。
【００２８】
プラグ４０の接触子４１を含む電極ピンは、例えば、ニッケル、黄銅、金、銀などの導電材料から構成され、プラグ受け１０の端子片２１，２２，３１も、同じく、例えば、ニッケル、黄銅、金、銀などの導電材料から構成される。また、抵抗素子２４は、端子片２１と端子片２２に接続する形でハウジング１２内に埋め込まれる。抵抗素子２４の抵抗値は、電源電圧の大きさや、後述する信号電圧の大きさによって定めることができるが、例えば、数１０Ωから数ｋΩの値が用いられる。
【００２９】
次に、プラグ受け１０にプラグ４０を挿入した際に、両者の間に流れる電流について説明する。電源側の接触子４１には電源電圧が印加されているものとする。まず、図１(Ａ)に示すように、プラグ受け１０に対してプラグ４０が矢印方向に挿入され、図２に示すように、接触開始位置において、接地用の接触子４２が接地用の端子片３１に接触するのとほぼ同時に、図１（Ｂ）に示すように、電源用の接触子４１が電源用の端子片２１に接触する。これにより、電源ライン２３には、接触子４１、端子片２１、抵抗素子２４、端子片２２を介して電源から電圧が印加される。その際、抵抗素子２４を介して電流が電源ライン２３に流れるため、抵抗素子２４によって、波高値の大きなラッシュ電流が流れるのを防止でき、図１（Ｂ）の右側に示すように、波高値の小さな電流によって、電源ライン２３の後段に接続されている容量素子を充電することが可能になる。この状態においては、プラグ４０とプラグ受け１０とは接続抵抗が大きい状態で接続されている。
【００３０】
さらに、プラグ４０がプラグ受け１０内に挿入されると、図１（Ｃ）に示すように、接触子４１が端子片２２に接触する。これにより、電源ライン２３には、接触子４１、端子片２２を介して電源から電圧が印加されるが、接触子４１が端子片２２に接触するまでに、電源ライン２３の電位は、接触子４１の電位と等しくなっているため、ラッシュ電流は発生せず、プラグ４０とプラグ受け１０とは低インピーダンスで接続することが可能になる。さらに、プラグ４０がプラグ受け１０に挿入され、図１（Ｄ）に示すように、挿入終了位置まで挿入されるが、プラグ４０とプラグ受け１０とは接続抵抗が小さい状態に保たれる。
【００３１】
このように、プラグ４０をプラグ受け１０とは、プラグ４０の接触子４１と端子片２１との接触開始位置においては高抵抗の状態で接続されため、ラッシュ電流の発生を抑制でき、プラグ４０の挿入終了位置では低抵抗の状態で接続されるため、コネクタ装置での電力損失を小さくできる。
【００３２】
(第２の実施形態)
図３は、本発明の第２の施形態に係るコネクタ装置の模式的に示す図であって、コネクタ装置を側面から見た図である。図３では、電源に接続される接触子４１を含む電極ピンの部分のみを示しているが、本実施形態のコネクタ装置のプラグ４０は、第１の実施形態と同様に、図２に示す接地用の接触子４２を有する電極ピンを備えており、これらの接触子４１、４２の根元側は、図示しない所定のハウジングによって複数の電極ピンが一体に固定されている。
【００３３】
プラグ受け１０は、電源用の３つの端子片２１1，２１2，２２と、端子片２２に繋がる電源ライン２３を備えている。隣接する２つの端子片２１1，２１2および端子片２１2，２２は、それぞれ抵抗素子２４1，２４2が接続されている。接地側の端子については図示していないが、第１の実施形態と同じ構成を有しており、プラグ受け１０は、図示しない接地用の端子片と接地ラインを備えている。
【００３４】
本実施形態では、プラグ４０がプラグ受け１０に挿入された際、まず、接触開始位置で接触子４１が端子片２１1に接触する。これによって、電源ライン２３には、接触子４１、端子片２１1、抵抗素子２４1、端子片２１2、抵抗素子２４2、および、端子片２２を介して電圧が印加される。その際、抵抗素子２４1，２４2を介して電流が電源ライン２３に流れるため、抵抗素子２４1，２４2によって、波高値の大きなラッシュ電流が流れるのを防止できる。また、その後、接触子４１が端子片２１2に接触すると、電源ライン２３には、接触子４１、端子片２１2、抵抗素子２４2、および、端子片２２を介して電圧が印加され、さらに、プラグ４０が挿入されると、電源ライン２３には、接触子４１と端子片２２を介して電圧が印加される。
【００３５】
このように、第２の実施形態は、第１の実施形態の端子片を３つ以上設け、隣接する端子片の間を抵抗素子で接続しているため、プラグ４０の接触子４１の接触開始位置からプラグ４０の挿入終了位置までの間に、プラグ４０とプラグ受け１０との接続抵抗をより細かく調整することができる。
【００３６】
(第３の実施形態)
図４は、本発明の第３の実施形態に係るコネクタ装置の模式的に示す図であって、コネクタ装置を側面から見た図である。図４では、電源に接続される接触子４１を含む電極ピンの部分のみを示しているが、本実施形態のコネクタ装置のプラグ４０は、第１の実施形態と同様に、図２に示す接地用の接触子４２を有する電極ピンを備えており、これらの接触子４１、４２の根元側は、図示しない所定のハウジングによって複数の電極ピンが一体に固定されている。
【００３７】
プラグ受け１０は、電源用の２つの端子片２１，２２と、端子片２２に繋がる電源ライン２３を備えている。また、端子片２１から基板１１の外部に延長された外部リード２５と端子片２２から基板１１の外部に延長された外部リード２６とが、抵抗素子２４によって接続されている。これにより、隣接する２つの端子片２１，２２は、電気的に抵抗素子２４によって接続されている。外部リード２５，２６は、一例として、ハウジング１２と基板１１に設けたビアホールと、基板１１の裏面（ハウジング１２の設置面の反対面）側に設けたプリント配線によって構成することができる。また、プラグ受け１０には、図示しない接地用の端子片と接地ラインを有している。
【００３８】
本実施形態では、プラグ４０がプラグ受け１０に挿入された際、まず、接触開始位置で接触子４１が端子片２１に接触する。これによって、電源ライン２３には、接触子４１、端子片２１、外部リード２５、抵抗素子２４、および、外部リード２６介して電圧が印加される。その際、電流は抵抗素子２４を介して電源ライン２３に流れるため、抵抗素子２４によって、波高値の大きなラッシュ電流が流れるのを防止できる。また、その後、接触子４１が端子片２２に接触すると、電源ライン２３には、接触子４１と端子片２２を介して電圧が印加される。
【００３９】
本実施形態では、抵抗素子２４をプラグ受け１０の外部に設けているため、抵抗素子２４を変更することが可能となる。これにより、プラグ受けの用途に応じて、外部から抵抗素子の抵抗値を変更することが可能となり、電源電圧の大きさや活線挿抜される機器の条件に応じて抵抗素子２４の抵抗値を適切な値にすることができる。なお、図４において、外部リード２６は電源ライン２３に接続されているが、端子片２２に接続するようにしてもよい。
【００４０】
(第４の実施形態)
図５は、本発明の第４の実施形態に係るコネクタ装置の模式的に示す図であって、コネクタ装置を側面から見た図である。図４では、電源に接続される接触子４１を含む電極ピンの部分のみを示しているが、本実施形態のコネクタ装置のプラグ４０は、第１の実施形態と同様に、図２に示す接地用の接触子４２を有する電極ピンを備えており、これらの接触子４１、４２の根元側は、図示しない所定のハウジングによって複数の電極ピンが一体に固定されている。
【００４１】
プラグ受け１０は、電源用の２つの端子片２７，２２と、端子片２２に繋がる電源ライン２３を備えている。端子片２２は、第１の実施形態と同様に、例えば、ニッケル、黄銅、金、銀などの導電材料から構成されているが、プラグ受け１０のプラグ挿入側に位置する端子片２７は、導電性樹脂、導電性ゴムなど、所定の抵抗値を有する抵抗材料から構成されている。本実施形態では、端子片２７と端子片２２とは直接電気的に接触接続しているが、電線を用いて接続してもよい。また、プラグ受け１０には、図示しない接地用の端子と接地ラインを有している。
【００４２】
電源側の接触子４１に電源電圧が印加されている状態で、図５（Ａ）に示す状態から、プラグ受け１０にプラグ４０を挿入した際、図５（Ｂ）に示すように、電源用の接触子４１が電源用の端子片２７に接触すると、電源ライン２３には、接触子４１、端子片２７、端子片２２を介して電源から電圧が印加される。その際、端子片２７自体が所定の抵抗値を有しているため、端子片２７の抵抗によって、波高値の大きなラッシュ電流が電源ライン２３に流れるのを防止できる。
【００４３】
そして、プラグ４０がプラグ受け１０に挿入されていくにしたがって、接触子４１と端子片２７との接触点は、端子片２２側に移動していく。このため、接触子４１と端子片２７との接触点と端子片２２との距離が小さくなっていくため、電流経路における端子片２７の抵抗値は小さくなっていく。そして、図５（Ｃ）に示すように、接触子４１が端子片２２に接触している状態では、接触抵抗値はほぼゼロに近づく。
【００４４】
本実施形態では、プラグ受け１０の端子は、プラグの挿抜方向に沿って複数の抵抗値の異なる部分から構成しており、プラグの接触開始位置に近い端子部分の抵抗値ほど大きくなるようにしている。このため、プラグの接触子の挿入にともなって、端子部分での抵抗値を連続して小さくすることができ、ラッシュ電流を確実に防止できる。なお、図５に示したコネクタ装置では、抵抗値を有する端子片２７を１つ設けた例を示したが、抵抗値を有する端子片を２つ以上設けるようにしてもよい。さらに、抵抗を有する端子片２７の抵抗値が接触子４１との接触開始位置に近いほど大きくなるような材料を用いてもよい。このような材料としては、例えば、金属や炭素を微粒子にしてプラスチックに混合して導電性を与える際に、導電性の微粒子の比率を接触開始位置に近いほど小さくすることによって得ることができる。
【００４５】
(テレビジョン装置への適用例)
図６は、本発明の一実施形態に係るコネクタ装置をテレビジョン装置に適用した際の、テレビジョン装置の機能ブロックと接続ケーブルを説明するための図であり、図７は、図６に示すテレビジョン装置の外観図である。
【００４６】
本実施形態のテレビジョン装置は、モニタ部５０とチューナ部６０の２つのパーツから構成されており、両者が接続ケーブル７０によって接続されている。モニタ部５０は、図示しない商用電源に接続される電源プラグ５１から電力を供給される電源ユニット５２、サブ基板５３、液晶パネル５５を駆動するためのＴＣＯＮ（タイミングコントローラ）５４、液晶パネル５５、ＬＥＤバックライト５７を駆動するためのＬＥＤドライバ５６、ＬＥＤバックライト５７を有している。チューナ部６０は、放送信号から所定の周波数のものを選局し、復調し、映像信号と音声信号とに分離するためのメイン基板６１と、音声を出力するスピーカ６２を備えている。
【００４７】
モニタ部５０の電源ユニット５２は、商用電源からテレビジョン装置に必要な電圧、例えば５Ｖと１２Ｖの直流電圧を生成し、サブ基板５３、ＬＥＤドライバ５６等に供給する。さらに、電源ユニット５２は、接続ケーブル７０を介してチューナ部６０に所定の電源を供給する。チューナ部６０のメイン基板６１で生成された映像信号は、接続ケーブル７０を介してモニタ部のサブ基板５３に伝送される。サブ基板５３では、映像信号に、例えば、ガンマ処理、フレームレート変換、ＯＳＤ処理、ハイダイナミックレンジ処理などを行った後、ＴＣＯＮ５４に伝える。
【００４８】
接続ケーブル７０には、電源供給のための電源ラインと信号伝送のための信号ラインが共存する。このため、接続ケーブル７０の活線挿抜時の電源ラインのラッシュ電流は、電源ラインの溶断や信号ラインの誤動作を招く。さらに、信号ライン自体に信号電圧がかかった状態で活線挿抜を行うと、同じくノイズの発生原因ともなる。このため、本実施形態のテレビジョン装置のプラグ受け１０には、図８に示すプラグ受け１０が用いられる。
【００４９】
図８に示すプラグ受け１０は、プラグの挿抜方向に対して、一例として、１つの接地用の端子片３１、５Ｖの電源用の端子片２１ａ，２２ａ、１２Ｖの電源用の端子片２１ｂ，２２ｂ、信号用の端子片２１ｃ，２２ｃ、および、同じく信号用の端子片２１ｄ、２２ｄの５組の端子を備えている。そして、接地用の端子は１つの端子片３１から構成されており、電源用または信号用の端子はそれぞれ２つの端子片から構成されている。また、電源用または信号用の端子の挿抜方向に隣接する端子片２１ａ〜２２ｄは、それぞれ抵抗素子２４ａ、２４ｂ、２４ｃ、および、２４ｄによって接続されている。すなわち、各端子は、第１の実施形態で示したプラグ受けと同じ構成を有している。但し、電源ラインと信号ラインに対して接続される抵抗素子２４ａ〜２４ｄの抵抗値は、それぞれに適した値のものが用いられる。また、接続ケーブル７０には、プラグ受け１０に対応する５組の接触子を有するプラグが設けられている。
【００５０】
モニタ部５０の電源プラグ５１が商用電源に接続されており、電源ユニット５２から出力が出ている状態で、接続ケーブル７０のプラグをプラグ受け１０に差し込んだ場合であっても、プラグ受け１０に設けた抵抗素子２４ａ〜２４ｄによって、電源ライン２３ａ、２３ｂや信号ライン２３ｃ、２３ｄにラッシュ電流が流れることはない。なお、図６では、プラグ受け１０をモニタ部５０およびチューナ部６０の両方に設けているが、抵抗素子を備えたプラグ受け１０はモニタ部５０のサブ基板５３またはチューナ部６０のメイン基板６１のいずれか一方に設けておけばよい。
【００５１】
さらに、接続ケーブル７０にプラグ受け１０を設けるようにしてもよく、図９に、抵抗素子を設けたプラグ受けを接続ケーブルに設けた例を示す。このように、本発明のプラグ受けは、電源ラインや信号ラインが接続される経路の少なくとも１カ所に設けておけばよく、接続装置側に設けてもよく接続ケーブル側に設けてもよい。また、接続ケーブル７０にプラグ受け１０を設ける場合は、基板１１はハウジング１２内に収まるものが用いられるが、基板１１を設けないようにしてもよい。なお、いずれの場合も、各実施形態で示したプラグ受けの構成を採用することができる。
【符号の説明】
【００５２】
１０…プラグ受け、１１…基板、１２…ハウジング、２１，２２，２７，３１…端子片、２３…電源ライン、２４…抵抗素子、２５，２６…外部リード、３２…接地ライン、４０…プラグ、４１，４２…接触子、５０…モニタ部、５１…電源プラグ、５２…電源ユニット、５３…サブ基板、５４…ＴＣＯＮ、５５…液晶パネル、５６…ＬＥＤドライバ、５７…ＬＥＤバックライト、６０…チューナ部、６１…メイン基板、６２…スピーカ、７０…接続ケーブル、１０１…供給側コネクタ、１０２…受け側コネクタ、１０３…補凸電極、１０３ａ…補凹電極、１０４…正凸電極、１０４ａ…正凹電極、１０５…抵抗体、１０６…負凸電極、１０６ａ…負凹電極、１１１…電源のプラス電極、１１２…電源のマイナス電極、１１３…電気装置のプラス電極、１１４…電気装置のマイナス電極。                                                                                
【図１】
2018147771.tif 000003
【図２】
2018147771.tif 000004
【図３】
2018147771.tif 000005
【図４】
2018147771.tif 000006
【図５】
2018147771.tif 000007
【図６】
2018147771.tif 000008
【図７】
2018147771.tif 000009
【図８】
2018147771.tif 000010
【図９】
2018147771.tif 000011
【図１０】
2018147771.tif 000012
【図１１】
2018147771.tif 000013